(57)【特許請求の範囲】
【請求項１】
少なくとも着脱可能に接続されたＵＳＢプレーヤからのＵＳＢファンクション及びチューナからのチューナファンクションと、他の複数のファンクションを動作させる再生装置において、
前記チューナファンクション及び前記他の複数のファンクションの動作を制御するメインシステム用の第１の制御手段と、
前記ＵＳＢファンクションの動作を制御する第２の制御手段と、
前記第１及び第２の制御手段駆動用の第１及び第２の電源手段と、
前記第１の制御手段に設けられるとともに、前記ＵＳＢファンクションに関するリジュームのためのバックアップ情報を記憶するバックアップ記憶手段と、を具備し、
前記チューナファンクションにより前記第２の電源手段から前記第２の制御手段への電力供給が遮断されて、前記第２の制御手段による前記ＵＳＢプレーヤの抜き差しの検出ができないとき、前記第１の制御手段が、前記ＵＳＢプレーヤの接続解除を検知し、前記バックアップ記憶手段に記憶されている前記バックアップ情報を消去する
再生装置。
【請求項２】
少なくとも着脱可能に接続されたＵＳＢプレーヤからのＵＳＢファンクション及びチューナからのチューナファンクションと、他の複数のファンクションを動作させる再生装置であって、
前記チューナファンクション及び前記他の複数のファンクションの動作を制御するメインシステム用の第１の制御手段と、
前記ＵＳＢファンクションの動作を制御する第２の制御手段と、
前記第１及び第２の制御手段駆動用の第１及び第２の電源手段と、
前記第１の制御手段に設けられるとともに、前記ＵＳＢファンクションに関するリジュームのためのバックアップ情報を記憶するバックアップ記憶手段と、を具備する再生装置の再生方法において、
前記チューナファンクションにより前記第２の電源手段から前記第２の制御手段への電力供給が遮断されて、前記第２の制御手段による前記ＵＳＢプレーヤの抜き差しの検出ができないとき、前記第１の制御手段が、前記ＵＳＢプレーヤの接続解除を検知し、前記バックアップ記憶手段に記憶されている前記バックアップ情報を消去するステップを備える
再生方法。
【請求項３】
少なくとも着脱可能に接続されたＵＳＢプレーヤからのＵＳＢファンクション及びチューナからのチューナファンクションと、他の複数のファンクションを動作させるリムーバブルメモリ用電子機器において、
前記チューナファンクション及び前記他の複数のファンクションの動作を制御するメインシステム用の第１の制御手段と、
前記ＵＳＢファンクションの動作を制御する第２の制御手段と、
前記第１及び第２の制御手段駆動用の第１及び第２の電源手段と、
前記第１の制御手段に設けられるとともに、前記ＵＳＢファンクションに関するリジュームのためのバックアップ情報を記憶するバックアップ記憶手段と、を具備し、
前記チューナファンクションにより前記第２の電源手段から前記第２の制御手段への電力供給が遮断されて、前記第２の制御手段による前記ＵＳＢプレーヤの抜き差しの検出ができないとき、前記第１の制御手段が、前記ＵＳＢプレーヤの接続解除を検知し、前記バックアップ記憶手段に記憶されている前記バックアップ情報を消去する
リムーバブルメモリ用電子機器。
【発明の詳細な説明】
【技術分野】
【０００１】
本発明は、ＵＳＢ（Universal Serial Bus）再生機能を有する再生装置及び再生方法並びにリムーバブルメモリ用電子機器に係わり、特に、ＵＳＢメモリに記録されたＭＰ３（エムペグ「ＭＰＥＧ−１」のAudio Layer-3）プレーヤをステレオシステム再生装置やディジタルオーディオ電子機器に搭載したものに於いて、ＵＳＢメモリの有無を検出する検出部の検出状態によって、リジュームの状態を解除するようにしたな再生装置及び再生方法並びリムーバブルメモリ用電子機器に関する。
【背景技術】
【０００２】
従来から、ＣＤ（Compact Disc）、ＤＶＤ（Digital Versatile Disc）、ＣＤ−Ｒ（-Recordable）、ＣＤ−ＲＷ（-Reritable）等のディスクに記録された音楽や映像データを再生するステレオシステム再生装置やディジタルオーディオ電子機器はよく知られている。最近はフラッシュメモリやＨＤＤ（Hard Disc Drive）に書き込まれたデータを再生する電子機器も多用されている。この電子機器ではフラッシュメモリやＨＤＤといった記憶メディアを電子機器に内蔵させると、データの入れ替え時の簡便性や音楽再生時の携帯性が問題となるため、これら記憶メディアを取り外し自在としているが、この様な記録メディアはメモリスティック、スマートメディア等の複数の規格が存在し汎用性に問題が発生するために汎用性に富むＵＳＢ端子を有するメディアであるＵＳＢメモリを対象とする電子機器が多くなってきている。
【０００３】
上述のＵＳＢメモリ等のリムーバブルメモリからユーザーコードがインタフェースを経由してコンピュータ等の本体に送信されると、ユーザーコードの内容とユニットコードの内容とを比較し、これらが一致していればシステムの起動を許可し、一致していなければシステムの起動を不許可する機能を有するようにしたコンピュータが特許文献１に開示されている。
【０００４】
又、特許文献１にはリムーバブルメモリに音声圧縮フォーマットの再生部をさらに加えることで，コンピュータの起動時以外は一般データ記録部に記録した音声情報を再生するプレーヤとして使用することができる様にしている。音声データはコンピュータ本体からインタフェースを経由してリムーバブルメモリにダウンロードすることもできる。音声情報再生のためには「再生」「停止」「スキップ」などの入力ボタンや，音量ボリューム、ヘッドホン端子などを追加すればよいことと音声圧縮フォーマットの規格は特に限定されず例えば、ＭＰ３の他、ＡＴＲＡＣ３（Adaptive Transform Acoustic Coding）等適宜選択することができることの記載がある。
【０００５】
更に，リムーバブルメモリにＣＣＤ（電荷結合半導体素子）等の画像撮影部及び液晶等の画像表示部を加えればデジタルカメラとしても使用できて、画像としては静止画像の他に動画を扱えるようにしてもよく解像度、撮影可能枚数などは、一般データ記録部の容量等に従って定め、画像圧縮形式も特に限定されない。リムーバブルメモリで撮影した画像の他、コンピュータ本体からインタフェースを経由してリムーバブルメモリにダウンロードした画像も表示し、音声再生プレーヤとデジタルカメラの機能を併せもたせてもよい旨の記載があるが、あくまで特許文献１に記載の構成は，ＭＰ３プレーヤ（以下、ＵＳＢプレーヤと記す）に関するもので、キーボードからのパスワード入力を必要としないセキュリティシステムを実現しようとするものである。
【０００６】
更に、又、ＣＤプレーヤ、ＭＤ（ミニディスク）プレーヤでは、いわゆるリジューム機能として知られているように、再生操作が行われた場合に、前回再生が停止された位置から再生を開始させる機能が付加されているものがある。このリジューム機能によってユーザの使用性は向上されるが、従来のリジューム機能では実現できない所望の再生開始位置からの再生を実行させるには、再生操作後にトラックナンバを選択し、ＦＦ（早送り）／ＲＥＷ（早戻し）等の操作を行う必要があり面倒なもので、再生動作としてはユーザの望みに応じたさらなる利便性が求められていた。このような課題を解決するためにユーザが各種の再生開始位置を複数のリジューム有効状態の１つを選択設定できるようにした再生装置が特許文献２に開示されている。
【０００７】
この特許文献２に開示の再生装置では、再生開始位置に係わるモードとして、再生開始位置を通常の再生開始位置とするリジューム無効状態、及び再生開始位置をそれぞれ前回の再生又は記録動作に応じた所要の位置とする複数のリジューム有効状態のうち（つまり少なくとも３つ以上のモード）から１つの状態を設定することができるようにし、或るリジューム有効状態で再生を開始する際には、そのリジューム有効状態に応じた再生開始位置からの再生が実行されるようにしている。すなわちユーザが、再生操作に応じた再生開始位置として、通常の再生開始位置（先頭トラックの先頭位置）以外に、前回の再生又は記録動作に関連する位置として複数の位置を再生開始位置として選択できるようにする様にしたものである。
【０００８】
更に、ステレオシステム再生装置やディジタルオーディオ電子機器の特に、ＭＰ３プレーヤ等のデジタルシステム機器では不要輻射がよく出力されるが、ステレオシステム再生装置でＵＳＢメモリ（以下ＵＳＢプレーヤと記す）を搭載すると、再生装置中のチューナによる情報受信時（以下チューナファンクションと記す）にその輻射を受信することが起きやすい、この様なチューナファンクション時にノイズ源となる再生装置中の各種回路は、そのノイズ源を断つために発振回路の停止や電源回路を遮断することが行なわれている。
【０００９】
上述のチューナファンクション時に回路電源を遮断すると、再生を停止させたときの再生状態を保持する所謂リジューム機能を実現するときにＥＥＰＲＯＭ等の不揮発性メモリが必要となり、又、チューナファンクション時にＵＳＢプレーヤの発振回路を停止すると、再生を停止させたときの再生状態を保持する所謂リジューム機能を実現する時に発振回路の電源のバックアップ回路が必要になってしまう、このように、ＥＥＰＲＯＭや電源回路のバックアップ回路を用いるとコストアップになる課題がある。
【００１０】
ステレオシステム再生装置やディジタルオーディオ電子機器内のシステムコンピュータは通常様々な情報をバックアップするため、何らかのデータバックアップ回路を有する。システムコンピュータと電源回路を遮断する部分のコントローラが分離している場合は、電源遮断時にリジューム情報をシステムコンピュータに渡すことで、ＵＳＢプレーヤのＥＥＰＲＯＭやバックアップ回路の追加を防ぐことが出来る。
【００１１】
リジューム機能はＵＳＢプレーヤを引き抜いたときにクリアする必要があるが、ステレオシステム再生装置のチューナファンクションの時などＵＳＢプレーヤの電源回路を遮断する必要がある時にＵＳＢプレーヤ側でＵＳＢプレーヤの着脱状態を検出することが出来ないために装着されているＵＳＢプレーヤのメディアを引き抜いてそのまま挿入しても通電されたときにメディアの入れ換えを認識できずリジューム情報をクリアすることができない。又、システムステレオ再生装置でチューナファンクションの時などＵＳＢプレーヤ電源を遮断する必要がある時に電源遮断前に挿入されていたＵＳＢプレーヤのメディアと電源遮断後に再び電源投入された後に挿入されたＵＳＢプレーヤのメディアを比較して、異なっていたらリジューム情報をクリアする必要がある。
【００１２】
ステレオシステム再生装置でＵＳＢプレーヤを再生する場合のＵＳＢファンクション（以下ＵＳＢファンクションと記す）以外でＵＳＢプレーヤの電源を切断すると、ＵＳＢファンクションにするたびにメディアのコンテンツ読み出しを行うため、再生可能になるまでの時間が掛り、ユーザが不便を感じることになる。この様にＵＳＢファンクションに切換えた時のメディアのコンテンツの読み出しによる待ち時間が発生する。この待ち時間を低減するためには、ＵＳＢファンクション以外で出来るだけＵＳＢプレーヤの電源を切断しない方がよいため、チューナファンクション時のみＵＳＢプレーヤの電源回路を遮断している。
【００１３】
上述の様にチューナファンクションのときのみＵＳＢプレーヤの電源を遮断する場合で、リジューム機能をシステムコントローラ側のバックアップで実現させる場合、ＵＳＢプレーヤ側ではメディアの着脱を検出することができないため、チューナファンクション時に一度抜いたＵＳＢプレーヤを再び挿入してＵＳＢファンクションにした場合にレジューム情報はクリアできないことになる。
【００１４】
又、システムステレオ再生装置でチューナファンクションのときのみＵＳＢプレーヤの電源回路を遮断する場合で、チューナファンクション以外に於いて一度抜いたＵＳＢプレーヤを再び挿入してＵＳＢファンクションにした場合、リジューム情報はクリアとなってしまう。このため、チューナファンクションとそれ以外のファンクションのときとで、ＵＳＢプレーヤを一度抜いて再びＵＳＢプレーヤを挿入したときの動作が異なってしまうとユーザが使用する上で混乱を招く弊害を生ずる課題を有していた。
【特許文献１】特開２００１−３３９８６６号公報
【特許文献２】特開２０００−３３１４６６号公報
【発明の開示】
【発明が解決しようとする課題】
【００１５】
本発明は上述の課題を解決するためになされたもので、電源回路を遮断する部分の制御用コンピュータとシステムを制御するコンピュータが分離している場合に、チューナファンクション時にＵＳＢプレーヤを一度抜いた時、その抜き差しをシステムコンピュータが検知し、ＵＳＢプレーヤでバックアップしている各種情報をクリアすることで、どのファンクションでもリジューム情報をクリアすることが可能な再生装置及び再生方法並びにリムーバブルメモリ用電子機器を提供するものである。
【課題を解決するための手段】
【００１６】
本発明の再生装置は、少なくとも着脱可能に接続されたＵＳＢプレーヤからのＵＳＢファンクション及びチューナからのチューナファンクションと、他の複数のファンクションを動作させる再生装置において、チューナファンクション及び他の複数のファンクションの動作を制御するメインシステム用の第１の制御手段と、ＵＳＢファンクションの動作を制御する第２の制御手段と、第１及び第２の制御手段駆動用の第１及び第２の電源手段と、第１の制御手段に設けられるとともに、ＵＳＢファンクションに関するリジュームのためのバックアップ情報を記憶するバックアップ記憶手段と、を具備し、チューナファンクションにより第２の電源手段から第２の制御手段への電力供給が遮断されて、第２の制御手段によるＵＳＢプレーヤの抜き差しの検出ができないとき、第１の制御手段が、ＵＳＢプレーヤの接続解除を検知し、バックアップ記憶手段に記憶されているバックアップ情報を消去するものである。
【００１７】
本発明の再生方法は、少なくとも着脱可能に接続されたＵＳＢプレーヤからのＵＳＢファンクション及びチューナからのチューナファンクションと、他の複数のファンクションを動作させる再生装置であって、チューナファンクション及び他の複数のファンクションの動作を制御するメインシステム用の第１の制御手段と、ＵＳＢファンクションの動作を制御する第２の制御手段と、第１及び第２の制御手段駆動用の第１及び第２の電源手段と、第１の制御手段に設けられるとともに、ＵＳＢファンクションに関するリジュームのためのバックアップ情報を記憶するバックアップ記憶手段と、を具備する再生装置の再生方法において、チューナファンクションにより第２の電源手段から第２の制御手段への電力供給が遮断されて、第２の制御手段によるＵＳＢプレーヤの抜き差しの検出ができないとき、第１の制御手段が、ＵＳＢプレーヤの接続解除を検知し、バックアップ記憶手段に記憶されているバックアップ情報を消去するステップを備えるものである。
【００１８】
本発明のリムーバブルメモリ用電子機器は、少なくとも着脱可能に接続されたＵＳＢプレーヤからのＵＳＢファンクション及びチューナからのチューナファンクションと、他の複数のファンクションを動作させるリムーバブルメモリ用電子機器において、チューナファンクション及び他の複数のファンクションの動作を制御するメインシステム用の第１の制御手段と、ＵＳＢファンクションの動作を制御する第２の制御手段と、第１及び第２の制御手段駆動用の第１及び第２の電源手段と、第１の制御手段に設けられるとともに、ＵＳＢファンクションに関するリジュームのためのバックアップ情報を記憶するバックアップ記憶手段と、を具備し、チューナファンクションにより第２の電源手段から第２の制御手段への電力供給が遮断されて、第２の制御手段によるＵＳＢプレーヤの抜き差しの検出ができないとき、第１の制御手段が、ＵＳＢプレーヤの接続解除を検知し、バックアップ記憶手段に記憶されているバックアップ情報を消去するものである。
【発明の効果】
【００１９】
本発明によると、ＵＳＢファンクション以外のどのファンクションでＵＳＢプレーヤの抜き差しを行っても、確実にリジューム情報をクリアすることができるようになり、ユーザが混乱することがない再生装置及び再生方法並びにリムーバブルメモリ用電子機器を得ることが可能となる効果を生ずる。
【発明を実施するための最良の形態】
【００２０】
以下、本発明の１形態例の再生装置及び再生方法並びにリムーバブルメモリ用電子機器を図１乃至図１０によって説明する。図１は本発明の再生装置の１形態例を示す系統図、図２乃至図６は本発明のシステム用のメインコンピュータとＵＳＢプレーヤ側のコンピュータとのやり取りを説明する線図、図7乃至図９は本発明の再生方法の１形態例を示すフローチャート、図１０は本発明の再生装置の１形態例を示す全体的構成の斜視図である。
【００２１】
以下、図１乃至図１０によって本発明のステレオシステム再生装置及び再生方式を説明する前に図１０によってステレオシステム再生装置の全体的システム構成を説明する。図１０に於いて、コンピュータ及び再生装置の本体２１を構成する筐体の前面パネルには上部にモニタ用のフラット表示部７を有し、モニタ用のフラット表示部７の下側には各種操作キー群５が映出されている。これ等の操作キー群５は「ＴＡＰＥ」「ＤＶＤ」「ＴＵＮＥＲ」「再生」「停止」「録音」「ファンクション切換キー」等が画面表示される。本体２１の右上にはＣＤやＤＶＤ挿入開口スリット２６が穿たれ、パネル下面に開閉扉２１ａ、２１ｂが設けられ、開閉扉２１ａ内にＵＳＢプレーヤを構成するリムーバブルメモリ、即ち、ＵＳＢメモリ（ＵＳＢプレーヤ）２９が挿入可能な接栓座（以下ＵＳＢソケットと記す）２８が設けられ、開閉扉２１ｂ内にはテープカセットを記録再生する駆動部が配設されてテープカセットプレーヤを構成している。２２Ｌ、２２Ｒは左右スピーカ、２３はコンピュータ用のディスプレイ、２４はキーボード、２５はマウスを示し、コンピュータ用の本体２１を介してＵＳＢプレーヤ２９内の音楽データや画像データ等を簡単に聴取或いはモニタできるように構成されている。図１０の構成では左右スピーカ２２Ｌ、２２Ｒしか配設されていないが本体２１の背面板には５−１チャンネル用のスピーカ出力端子を有する。
【００２２】
以下、図１によって、上述構成の本発明のステレオシステム再生装置内のブロックを説明する。図１に於いて、再生装置３０はＵＳＢメモリプレーヤ基板３１とメインコンピュータ基板３２から構成されている。本例では、ＵＳＢプレーヤ２９を再生するＵＳＢメモリプレーヤ基板３１、ＣＤを再生するＣＤプレーヤ３３、テープカセットを再生するテープカセットプレーヤ３４、ＡＭ、ＦＭ、ＴＶ等のチューナ３５を備えたシステムスオーディオについて詳記する。
【００２３】
ＵＳＢメモリプレーヤ基板３１にはＵＳＢソケット２８が取り付けられ、このＵＳＢソケット２８はＵＳプレーヤ２９の口金が接触する口金部２８ａと伝送データＤ＋、Ｄ−の端子が装着可能となされている。伝送データＤ＋、Ｄ−の端子、ＧＮＤ端子、ＶＢＡＳ端子はＵＳＢソケット２８からの圧縮データを読み出して、伸張などを制御するコンピュータの中央情報処理部及びＵＳＢコントローラ並びにＣＯＤＥＣ（コーデック）が集積されたＣＰＵチップ１に接続されている。ＵＳＢソケット２８の口金部２８ａはメインコンピュータ基板３２内に設けられＣＰＵチップ１とデータの授受を行うメインコンピュータ（以下メインＣＰＵと記す）３７のデータラインに接続されている。このデータラインは抵抗Ｒによってプルアップされている。ＣＰＵチップ１はフラッシュメモリ等のＲＯＭ（ロム）３とＳＤＲＡＭ（ＳＤラム）２に接続され、ＣＰＵチップ１はＲＯＭ３に記録されたＲＯＭ情報に従って動作し、ＵＳＢプレーヤ２９のメモリからデータを読み出して圧縮してＳＤＲＡＭ２に記録する。更に、ＣＰＵチップ１には画像入力端子ＶＩＮから画像データが供給され、ビデオアンプ１６を介して画像出力端子ＶＯＵＴに画像データが出力される。尚、４１はＵＳＢメモリプレーヤ３１内の電源回路を示す。
【００２４】
ＣＰＵチップ１にはアナログ−ディジタル変換回路／ディジタル−アナログ変換回路（ＡＤ／ＤＡ）１５が接続されＡＤ１５からのディジタルデータはメインコンピュータ基板３２側に配設したセレクタ１１に供給されると共にＤＡ１５にはセレクタ１１からでディジタルデータが供給されている。又、ＳＤＲＡＭ２に記録された圧縮データをＣＰＵチップ１で伸張し、ＤＡ１５でディジタル音声信号をアナログ音声に変換する。更に、伸張された画像データをアナログ変換し、かつビデオフォーマットに変換しコンポジット信号に変換した後にビデオアンプ１６に出力する。
【００２５】
メインコンピュータ基板３２内にはＣＤプレーヤ３３、テープカセットプレーヤ３４、チューナ３５等からの各種情報データが供給されるＣＤソケット３８、テープカセットソケット３９、チューナソケット４０がバスを介してメインＣＰＵ３７に接続されると共にセレクタ１１に各ソケット３８、３９、４０から情報データを供給可能なように接続されている。商用電源端子ＡＣＩＮに供給された商用電圧はシステム全体の電源をまかなう電源回路１３に接続され、メインＣＰＵ３７で制御するスイッチ等の切換回路１２を介してＵＳＢメモリプレーヤ基板３１内の電源回路４１に接続されている。
【００２６】
システムオーディオを構成する再生装置３０の全体を制御するためのメインＣＰＵ３７には操作キー群５及びリモートコントローラ（リモコン）６から音声データや映像データの動作指示が成されと共にセレクタ１１及びプリアンプ１０並びにフラット表示駆動回路８にはメインＣＰＵ３７から出力データが供給されるように接続されている。フラット表示部駆動回路８からのデータはフラット表示部７に与えられて操作キー群５やリモコン６の信号を処理し適切な動作をさせて、その状態をフラット表示部７に出力させる。
【００２７】
セレクタ１１の出力端はプリアンプ１０に接続されプリアンプ１０の出力端は更に、ミューティング回路９に接続されたパワーアンプ１４に接続されたスピーカ端子ＳＰＯＵＴを介して左右スピーカ２２Ｌ、２２Ｒに接続されている。メインＣＰＵ３７はＤＡ制御を行い、ＣＤプレーヤ３３、テープカセットプレーヤ３４、チューナ３５から出力される夫々の音声信号はセレクタ１１で選択され、プリアンプ１０で音量や音質が変更されミューティング回路９でミューティング動作がなされ、最終的にパワーアンプ１４で左右スピーカ２２Ｌ、２２Ｒを駆動できる信号に変換し、左右スピーカ２２Ｌ，２２Ｒに音声信号を出力する。
【００２８】
ＵＳＢソケット２８とＣＰＵチップ１とはＳＵＢ伝送データ（ＶＢＡＳ，ＧＮＤ，Ｄ＋、Ｄ−）の４信号で接続されるＵＳＢ端子を有し、ＵＳＢソケット２８に接続されるＵＳＢプレーヤ２９をエミュレーションして認識し、通信開始する。又、ＵＳＢソケット２８の口金部２８ａは抵抗Ｒでプルアップされた信号線（ＭＥＤＩＡ−ＤＥＴ）を持ち、口金部２８ａとＵＳＢ端子内のＧＮＤが接続されているメディアが挿入されたことを検出できる様に構成されている。この構成によれば、口金部２８ａとＵＳＢ端子内のＧＮＤが接続されているメディアを挿入したときにＭＥＤＩＡ−ＤＥＴはその信号論理は「Ｌ」それ以外で「Ｈ」となるため、その信号を検出することでＵＳＢソケット２８に接続されたメディアであるＵＳＢプレーヤ２９の有無を検出することができる。
【００２９】
その他メディアの有無を確認する方法として、ＵＳＢデータＤ＋、Ｄ−の端子ラインをモニタすることも可能である。ＵＳＢプレーヤ２９はフルスピードではＵＳＢ端子Ｄ＋に、ロースピードではＵＳＢ端子Ｄ−にそれぞれ１５ｋΩのプルアップ抵抗を持つため、これらのポートの変化をＣＰＵチップ１でモニタすることでもメディアの有無を確認することが出来る。それ以外にも通信が確立した任意の時点でメディア有と判定し、それ以外ではメディア無と判定することも可能である。
【００３０】
他にＣＰＵチップ１はセレクタ１１から入力されＡＤ１５にてディジタル化された音声信号やＶＩＮから入力された映像信号をディジタル変換し、それを圧縮してＵＳＢソケット２８に接続されたＵＳＢプレーヤ２９に記録することも出来る。この時ＡＤ１５は入力されたアナログ音声信号をディジタル化してＣＰＵチップ１に渡す。又、ＶＩＮから入力された映像信号もＣＰＵチップ１に渡されディジタル化される。ディジタル化された音声・映像信号をＳＤＲＡＭ２に記録する共に圧縮してＵＳＢソケット２８に接続されたＵＳＢプレーヤ２９のメモリに記録することも出来る。
【００３１】
再生を行う際は、メインＣＰＵ３７からＣＰＵチップ１に対して再生するためのコマンドを送信する必要がある。このコマンドはキーコマンドであったり、再生のため定義された専用のものであったりと種々な場合がある。通常、ファンクション毎にそのファンクションだけが動作するようにすることが多く、例えば、メインＣＰＵ３７はＵＳＢファンクションではＵＳＢ関連のコマンドをＣＰＵチップ１に対して送信する。そして、ＵＳＢファンクション以外のときに、メインＣＰＵ３７が再生動作しないようにＣＰＵチップ１はコマンド出力を制御する必要がある。
【００３２】
このようにステレオシステム再生装置３０は種々なファンクションを持ち、種々な音源を再生可能だが、ＵＳＢプレーヤ２９等のディジタル機器では不要輻射を発生し易い。特にステレオシステム再生装置３０の様にチューナファンクションを有する場合、チューナファンクション時にこれらの輻射を受信してノイズを発生させてしまうことがよくある。そのためチューナファンクション時に、チューナに関係のない部分の輻射源の電源回路を遮断したり発振回路の停止を行ったりしている。
【００３３】
図１のようにＵＳＢプレーヤ２９をコントロールするＣＰＵチップ１とメインコンピュータ基板３２のメインシステムを制御するメインＣＰＵ３７が分離している場合、切換回路１２のスイッチにより回路全体の電源回路１３を遮断したり、電源回路１３は遮断しないもののＣＰＵチップ１の発振回路の電源回路４１の電圧を停止させたりすることがある。回路全体の電源を遮断する場合で、再生を停止させたときの再生状態を保持するいわゆるリジューム機能を実現するときには単純に回路全体の電源回路１３を切るわけにはいかず、ＥＥＰＲＯＭ等の不揮発メモリを使用しなければならなくなる。
【００３４】
又、ＵＳＢメモリプレーヤ基板３１の発振回路の停止を行った場合にリジューム機能を実現するときにその部分の電源のバックアップ回路が必要になってしまう。その他発振回路を停止させる場合、ＣＰＵチップ１のコントローラの発振を止めることになるが、このときＳＤＲＡＭ２のクロックも停止させなければならないため、別に新たなＲＡＭを追加する必要が生ずる。このように、リジューム機能を実行する場合にはコストがアップする問題があった。
【００３５】
然し、システムオーディオやステレオシステム再生装置３０のメインＣＰＵ３７は通常様々な情報をバックアップするため、何らかのデータバックアップ回路を有することが多い。例えば、ＴＶチューナのプリセットや各種設定値等がこれにあたる。そのため、ＵＳＢメモリプレーヤ基板３１のＣＰＵチップ１からリジューム等のバックアップの必要なデータをメインＣＰＵ３７に送信しておくことで、ＵＳＢプレーヤ２９は電源回路１３を遮断されても、電源投入時に過去に送ったデータを要求してデータをリストアすることができる。これにより、ＵＳＢメモリプレーヤ基板３１のコストをアップせずにリジューム機能を実現することができるようになる。
【００３６】
一方、リジューム機能はＵＳＢプレーヤを着脱したときにそのリジューム情報の内容をクリアする必要がある。然し、チューナファンクションでＵＳＢプレーヤの電源を遮断してしまうと、ＵＳＢプレーヤ側ではメディアの着脱を検出できない。そのため、リジュームになった時にＵＳＢソケットに挿入されていたＵＳＢプレーヤを引き抜いてそのまま挿入しても通電されたときにＵＳＢプレーヤの入替えを認識できずリジューム情報をクリアすることができないことになってしまう。
【００３７】
又、チューナファンクションなどでＵＳＢプレーヤの電源回路を遮断した後にＵＳＢファンクションに変更したとき、ＵＳＢプレーヤのメディアのコンテンツ情報を読み出す必要が発生するため、再生可能になるまでの時間が掛る課題があり、ユーザが不便さを感じてしまうのでＵＳＢ以外のファンクションではできるだけＵＳＢプレーヤの電源を遮断したくない。ＵＳＢ以外のファンクションでＵＳＢプレーヤの電源を遮断しないと、ＵＳＢソケットに挿入されているＵＳＢプレーヤを引き抜いたときにＵＳＢプレーヤ側のコンピュータで認識することができるため、リジューム情報がクリアされてしまう。
このようにチューナファンクションとそれ以外のファンクションの時で、メディアを一度着脱したメディアを再び挿入したときの動作が異なってしまうため、ユーザが使用する上で混乱を招く不具合を生じる課題が起きていた。
【００３８】
上述の課題を解決するための動作を図２乃至図９により説明する。図２乃至図５にＵＳＢメモリプレーヤ基板３１側のＣＰＵチップ１とシステム制御側のメインコンピュータ基板３２側のメインＣＰＵ３７間のデータの授受を示す線図を、図６乃至図９にフローチャートを示す。
【００３９】
ＵＳＢプレーヤ１が動作するときには下記に示す、バックアップ対象のバックアップデータＢＤが図２に示す様に送信される。
ａ：再生モード
ｂ：再生トラック番号
ｃ：再生セクタ番号
ｄ：再生時間
ｅ：メディア情報
ｆ：その他  
上述のバックアップデータＢＤに変化があった時点で、ＣＰＵチップ１からメインＣＰＵ３７に対してこれらのバックアップデータＢＤが図２の様に出力するとメインＣＰＵ３７ではこれらの情報をＣＰＵチップ１から受けるたびにバックアップＲＡＭ１７図８のフローチャートに示す様に書き込む。
【００４０】
図８に於いて、バックアップデータの変化が有る毎（Ｓ８１）に第１ステップＳ８２のようにメインＣＰＵ３７はバックアップデータＢＤの入力があったか否かの判断を行い「ＮＯ」ならば第１ステップＳ８２の頭に戻され、「ＹＥＳ」であれば第２ステップＳ８３に進み、バックアップデータをバックアップＲＡＭ１７に格納した後に第１ステップＳ８２の頭に戻される。このようにするとメインＣＰＵ３７では常時ＣＰＵチップ１のバックアップするべき情報が蓄えられるので、チューナファンクションにした時などＵＳＢプレーヤ２９の電源を切断しても、その情報はメインＣＰＵ３７側バックアップされる。（メインＣＰＵ３７は別途電源のバックアップを行い、その電源電圧が一定電圧以下にならない限りバックアップを行える普通のバックアップ機能を有しているとしている）。
【００４１】
ＵＳＢプレーヤ２９の電源投入時、ＣＰＵチップ１はメインＣＰＵ３７に対し、バックアップデータＢＤを図３及び図６の第１ステップＳ６１に示す様に要求する。メインＣＰＵ３７はバックアップデータＢＤの要求を受けたらバックアップＲＡＭ１７に格納されていたバックアップデータを返答する。即ち、図7に示す様にメインＣＰＵ３７は第１ステップＳ７１でバックアップデータＢＤの要求はあったか否かを判断し、「ＮＯ」では第１ステップＳ７１の頭に戻され、「ＹＥＳ」では第２ステップＳ７２に進みバックアップＲＡＭ１７に格納されているバックアップデータＢＤをＣＰＵチップ1側に返答する。これによりＣＰＵチップ１はバックアップデータＢＤの復元を図４に示す様に行うことが出来る。
【００４２】
本発明では、チューナファンクションなどでＵＳＢプレーヤ２９側のＣＰＵチップ１の電源回路４１を遮断していることで、ＣＰＵチップ１にてメディアのＵＳＢプレーヤ２９の抜き差しの検出ができない時にＵＳＢプレーヤ２９の抜き差しをメインＣＰＵ３７で検出し、メインＣＰＵ３７内部でバックアップしている上記a〜fのバックアップデータの全て及び一部を図5に示す様にクリアする。即ち、図９に示す様に第１ステップＳ９１ではメディアの着脱があったか否かの判断がなされ、「ＮＯ」では第１ステップＳ９１の頭に戻され、「ＹＥＳ」では第２ステップＳ９１に進み、バックアップデータＲＡＭ１７をクリアにして第１ステップＳ９２の頭に戻される。これにより、前述のようにメディアの抜き差しを検出できないチューナファンクション時にメディアを抜き差して再び挿入しても、ＵＳＢファンクションにしたときに確実にリジューム情報をクリア出来るようになる。
【００４３】
他にもメインＣＰＵ３７側でメディアが抜かれたかの情報を保持し、保持しているバックアップデータＢＤをクリアせず、このメディアが抜かれたかの情報をＣＰＵチップ１がバックアップ復元時に送出し、ＣＰＵチップ１側でリジュームをキャンセルすることが出来る。上述の構成ではメインＣＰＵ３７で図２乃至図６のフロー制御を行なったが、メインＣＰＵ３７と接続されたＣＰＵチップ１で行っても良いことは明らかである。
【００４４】
本発明の再生装置及び再生方法並びにリムーバブルメモリ用電子機器によると、ＵＳＢファンクション以外のどのファンクションでＵＳＢプレーヤの抜き差しを行っても、確実にリジューム情報をクリアすることができるようになり、ユーザが混乱することがない再生装置及び再生方法並びにリムーバブルメモリ用電子機器を得ることが可能となる効果を生ずる。
【産業上の利用可能性】
【００４５】
上述の構成では再生装置について説明したが、本発明はＵＳＢインタフェースを具えた情報製品、例えば、ＰＤＡ（個人用携帯情報端末）、携帯式ＭＰ３プレーヤ、マイクロコンピュータ、携帯電話、ＵＳＢインタフェースのデジタルビデオカメラ等のＵＳＢインタフェースを有する電子機器に適用可能である。又、実施例では音声再生／録音及び映像再生／記録可能な自動再生／記録装置として説明したが再生装置（システムオーディオ、ステレオプレーヤ、ステレオシステム）として画像処理系回路を取り除いた構成としても良いことは明らかである。
【図面の簡単な説明】
【００４６】
【図１】本発明の再生装置及び再生方法並びにリムーバブルメモリ用電子機器の１形態例を示す系統図である。
【図２】本発明の本発明の再生装置及び再生方法並びにリムーバブルメモリ用電子機器の１形態例を示すプロトコル線図（I）である。
【図３】本発明の本発明の再生装置及び再生方法並びにリムーバブルメモリ用電子機器の１形態例を示すフローチャート（II）である。
【図４】本発明の本発明の再生装置及び再生方法並びにリムーバブルメモリ用電子機器の１形態例を示すプロトコル線図（III）である。
【図５】本発明の本発明の再生装置及び再生方法並びにリムーバブルメモリ用電子機器の１形態例を示すプロトコル線図（IV）である。
【図６】本発明の本発明の再生装置及び再生方法並びにリムーバブルメモリ用電子機器の１形態例を示すフローチャート（I）である。
【図７】本発明の本発明の再生装置及び再生方法並びにリムーバブルメモリ用電子機器の１形態例を示すフローチャート（II）である。
【図８】本発明の本発明の再生装置及び再生方法並びにリムーバブルメモリ用電子機器の１形態例を示すフローチャート（III）である。
【図９】本発明の本発明の再生装置及び再生方法並びにリムーバブルメモリ用電子機器の１形態例を示すフローチャート（IV）である。
【図１０】本発明の再生装置及び再生方法並びにリムーバブル用電子機器の１形態例を示す斜視図である。
【符号の説明】
【００４７】
１・・・ＣＰＵチップ、２・・・ＳＤＲＡＭ、３・・・ＲＯＭ、５・・・操作キー群、６・・・リモコン、７・・・フラット表示部、８・・・フラット表示部駆動回路、９・・・ミューティング回路、１０・・・プリアンプ、１１・・・セレクタ、１２・・・切換回路、１３、４１・・・電源回路、１４・・・パワーアンプ、１５・・・ＡＤ／ＤＡ、１６・・・ビデオアンプ、２１・・・本体、２２Ｌ、２２Ｒ・・・左右スピーカ、２８・・・ＵＳＢソケット、２９・・・ＵＳＢメモリ（ＵＳＢプレーヤ）、３０・・・再生装置、３１・・・ＵＳＢメモリプレーヤ基板、３２・・・メインコンピュータ基板、３３・・・ＣＤプレーヤ、３４・・・テープカセットプレーヤ、３５・・・チューナ、３７・・・メインＣＰＵ、３８・・・ＣＤソケット、３９・・・デッキソケット、４０・・・チューナソケット、４１・・・ＵＳＢソケット
【図１】
0004747698.tif 000002
【図２】
0004747698.tif 000003
【図３】
0004747698.tif 000004
【図４】
0004747698.tif 000005
【図５】
0004747698.tif 000006
【図６】
0004747698.tif 000007
【図７】
0004747698.tif 000008
【図８】
0004747698.tif 000009
【図９】
0004747698.tif 000010
【図１０】
0004747698.tif 000011